(57)【要約】【課題】発泡樹脂ブロックの圧縮クリープ変形などによる表面材ヘの負担を抑えるとともに、表面材の交換が容易に行える軽量盛土工法における表面材取付構造を提供すること。【解決手段】発泡樹脂ブロック１の外表面における対向する両端部に設けられるアンカー部材１０と、アンカー部材１０の一方に取り付けられて表面材５０の一端を保持する保持側支持部材２０と、アンカー部材１０の他方に取り付けられて表面材５０の他端の動きを規制する固定側支持部材２５と、表面材５０の重量を支持する重量受け部材１５とを備え、表面材５０は、重量受け部材１５に支持された状態で保持側支持部材２０と固定側支持部材２５との間に保持されている。【選択図】  図１
2018053717.tif 000002
【特許請求の範囲】
【請求項１】
発泡樹脂ブロックを積み重ねて土木構造物を構築する軽量盛土工法において、前記発泡樹脂ブロックの外表面に表面材を取り付ける表面材取付構造であって、
前記発泡樹脂ブロックの外表面における対向する両端部に設けられるアンカー部材と、
前記アンカー部材の一方に取り付けられて前記表面材の一端を保持する保持側支持部材と、
前記アンカー部材の他方に取り付けられて前記表面材の他端の動きを規制する固定側支持部材と、
前記表面材の重量を支持する重量受け部材と、を備え、
前記表面材は、前記重量受け部材に支持された状態で前記保持側支持部材と固定側支持部材との間に保持されていることを特徴とする軽量盛土工法における表面材取付構造。
【請求項２】
前記表面材と発泡樹脂ブロックとの間に、該表面材の裏面側に空間を確保する保持部材を有している請求項１に記載の軽量盛土工法における表面材取付構造。
【請求項３】
前記保持側支持部材は、断面がＵ型状に形成され、
前記固定側支持部材は、断面がＺ型状に形成されている請求項１又は２に記載の軽量盛土工法における表面材取付構造。
【請求項４】
前記表面材の上部と隣接物との間にガスケットを有し、
前記ガスケットは、透水性を有している請求項１〜３のいずれか１項に記載の軽量盛土工法における表面材取付構造。
【請求項５】
請求項１〜４のいずれか１項に記載の表面材取付構造を備えた軽量盛土工法の構築構造であって、
前記表面材の重量を重量受け部材で支持し、前記表面材の一端を保持側支持部材で保持し、対向する他端を固定側支持部材で固定した発泡樹脂ブロックを複数積み重ねて土木構造物を構築し、
前記積み重ねた発泡樹脂ブロックの表面材の上部と隣接する表面材との間に透水性を有するガスケットを装着し、前記固定側支持部材と隣接する保持側支持部材との間にガスケットを装着したことを特徴とする軽量盛土工法の構築構造。
【請求項６】
前記透水性を有するガスケットは、前記発泡樹脂ブロックと接する面に縦方向の透水溝を有している請求項５に記載の軽量盛土工法の構築構造。
【発明の詳細な説明】
【技術分野】
【０００１】
本発明は、発泡樹脂ブロックを用いて土木構造物を構築する軽量盛土工法における表面材の取付構造と軽量盛土工法の構築構造に関するものである。
【背景技術】
【０００２】
近年、軟弱地盤対策、地すべり対策、急傾斜地の盛土対策及び土圧軽減などを目的として、土を用いた盛土工法に代わり、発泡スチロールなどのブロック（以下、「発泡樹脂ブロック」という）を用いて道路などの土木構造物を構築する軽量盛土工法が採用される場合がある。この軽量盛土工法は、土を用いた盛土工法に比べて工期短縮及びコスト削減を図ることができる。
【０００３】
図６は、軽量盛土工法の一例を示す断面図である。この例は、山１００の傾斜面に道路１０１を敷設する例である。図示するように、従来の軽量盛土工法で道路１０１を敷設する場合、構築面に基礎コンクリート１０２を打設し、その基礎コンクリート１０２に支柱１０３を立てる。そして、支柱１０３に軽量盛土工法用の表面材１０４（パネル）を取り付けて道路壁面を構築し、その内部空間に発泡樹脂ブロック１０５を積み重ねて盛土を構築する。その後、発泡樹脂ブロック１０５の上面を舗装１０６で仕上げる。
【０００４】
しかし、上記軽量盛土工法では、表面材１０４で道路壁面を構築するために支柱１０３が必要であり、その支柱１０３に表面材１０４を取り付けるための金具１０７も必要である。そのため、支柱１０３や金具１０７等の資材の点数が増え、施工に時間と労力を要する。そこで、支柱１０３を用いることなく発泡樹脂ブロック１０５に表面材１０４を直接取り付ける方法も考えられている。
【０００５】
例えば、この種の先行技術として、直方体状に構成された発泡樹脂製のブロック本体の側面に、壁面パネルを取り付けるためのビスをねじ込むパネル支持部材を埋設し、そのパネル支持部材に壁面パネルをビスで固定するようにした壁体構造物がある（例えば、特許文献１参照）。
【０００６】
また、他の先行技術として、発泡樹脂ブロックと面状材（以下、「パネル」という）の外形サイズを所定サイズに設定し、発泡樹脂ブロックにおけるパネルの取付面に、パネルの止め具を固定する固定具を埋設し、この固定具にパネルを止め具で固定するようにした軽量盛土構造がある（例えば、特許文献２参照）。
【先行技術文献】
【特許文献】
【０００７】
【特許文献１】特開平１１−１４０８７７号公報
【特許文献２】特開２００６−１６９７６４号公報
【発明の概要】
【発明が解決しようとする課題】
【０００８】
しかしながら、上記特許文献１，２のいずれの構造も、発泡樹脂ブロックにパネルを取り付ける固定部が端部から離れた位置となっているため、経年変化などにより壁面パネルに反りや変形が生じた場合には、パネルの間の目地部に開きが生じる恐れがある。
【０００９】
また、上記いずれの構造も、パネルに直接穴あけ加工を施し、そのパネルを発泡樹脂ブロックに埋設した部材にビス等で固定するため、発泡樹脂ブロックの圧縮クリープ変形（以下、単に「圧縮変形」ともいう）によりビスを介してパネルの固定部にせん断力が加わり、パネルが破損する恐れがある。特に、上記特許文献１の構造の場合、発泡樹脂ブロックが圧縮変形して上下左右のパネルが接触した場合には、その荷重によってパネルが破損する恐れもある。
【００１０】
一方、パネル裏面側に入った雨水などが発泡樹脂ブロックとの間に滞留して排水が難しい場合には、水の滞留によりパネルや発泡樹脂ブロックの耐久性（物性）が低下する恐れがある。
【００１１】
また、隣接するパネルの間に目地材としてシーリング材を用いて設置すると、補修等によるパネル交換作業が非常に困難であり、一部のパネルが損傷した場合でも、その交換作業に多くの時間と労力を要する。
【００１２】
そこで、本発明は、発泡樹脂ブロックの圧縮クリープ変形などによる表面材ヘの負担を抑えるとともに、表面材の交換が容易に行える軽量盛土工法における表面材取付構造及び軽量盛土工法の構築構造を提供することを目的とする。
【課題を解決するための手段】
【００１３】
上記目的を達成するために、本発明の軽量盛土工法における表面材取付構造は、発泡樹脂ブロックを積み重ねて土木構造物を構築する軽量盛土工法において、前記発泡樹脂ブロックの外表面に表面材を取り付ける表面材取付構造であって、前記発泡樹脂ブロックの外表面における対向する両端部に設けられるアンカー部材と、前記アンカー部材の一方に取り付けられて前記表面材の一端を保持する保持側支持部材と、前記アンカー部材の他方に取り付けられて前記表面材の他端の動きを規制する固定側支持部材と、前記表面材の重量を支持する重量受け部材と、を備え、前記表面材は、前記重量受け部材に支持された状態で前記保持側支持部材と固定側支持部材との間に保持されている。この明細書及び特許請求の範囲の書類中における「圧縮変形」は、「圧縮クリープ変形」を含む概念である。
【００１４】
この構成により、軽量盛土工法における表面材の一端を保持側支持部材で保持し、表面材の重量を重量受け部材で支持し、対向する他端を固定側支持部材で固定すれば、表面材を発泡樹脂ブロックの外表面に取り付けることができる。この取り付けられた表面材は、発泡樹脂ブロックに直接固定されていないため、発泡樹脂ブロックに圧縮変形や変位を生じても、表面材は保持側支持部材と固定側支持部材との間で動いて取り付けている部分に大きな力が作用しない構造とすることができる。しかも、固定側支持部材を取り外すことにより、表面材を容易に交換することができる。
【００１５】
また、前記表面材と発泡樹脂ブロックとの間に、該表面材の裏面側に空間を確保する保持部材を有していてもよい。
【００１６】
このように構成すれば、パネルと発泡樹脂ブロック間に設けた保持部材で表面材の裏面側に排水経路を確保することができ、上部より進入した雨水などを効率良く下方へ排水することができる。しかも、表面材の裏面側への反りを緩和することもできる。
【００１７】
また、前記保持側支持部材は、断面がＵ型状に形成され、前記固定側支持部材は、断面がＺ型状に形成されていてもよい。
【００１８】
このように構成すれば、表面材の横方向一端をＵ型状断面の保持側支持部材で保持し、表面材の横方向他端をＺ型状断面の固定側支持部材で固定して表面材の動きを規制することにより表面材の取り付けが完了するので、表面材を発泡樹脂ブロックに取り付ける作業を効率良く行うことができる。
【００１９】
また、前記表面材の上部と隣接物との間にガスケットを有し、前記ガスケットは、透水性を有していてもよい。透水性を有するガスケットには、透水性を有する材質で形成されたガスケット、透水溝などを有するガスケットがある。
【００２０】
このように構成すれば、各発泡樹脂ブロックに支持した表面材の間をガスケットでシールして、雨水などが表面材の裏側に進入することを適切に防ぎ、表面材の裏側に雨水などが進入しても透水性を有しているので下方へ排水することができる。
【００２１】
一方、本発明の軽量盛土工法の構築構造は、前記いずれかの表面材取付構造を備え、前記表面材の重量を重量受け部材で支持し、前記表面材の一端を保持側支持部材で保持し、対向する他端を固定側支持部材で固定した発泡樹脂ブロックを複数積み重ねて土木構造物を構築し、前記積み重ねた発泡樹脂ブロックの表面材の上部と隣接する表面材との間に透水性を有するガスケットを装着し、前記固定側支持部材と隣接する保持側支持部材との間にガスケットを装着している。
【００２２】
この構成により、発泡樹脂ブロックに圧縮クリープ変形を生じても、表面材は保持側支持部材と固定側支持部材との間で動いて取り付けている部分に大きな力が作用しないようにできる。しかも、表面材の構築を含めた軽量盛土工法による土木構築物の施工性を向上でき、表面材を交換する場合も一部の表面材のみを取り外して容易に交換することができる。
【００２３】
また、前記透水性を有するガスケットは、前記発泡樹脂ブロックと接する面に縦方向の透水溝を有していてもよい。
【００２４】
このように構成すれば、上部より進入した雨水は透水溝を介して下方へ迅速に排水することができる。
【発明の効果】
【００２５】
本発明によれば、発泡樹脂ブロックに圧縮変形や変位を生じても表面材に負担がかからない取付構造となり、表面材の変形や破損を防止することが可能となる。
【００２６】
また、表面材の取替えの際には、固定側支持部材を外すことで容易に表面材の脱着ができ、作業効率良く表面材を交換することが可能となる。
【図面の簡単な説明】
【００２７】
【図１】図１は本発明の一実施形態に係る表面材取付構造を備えた発泡樹脂ブロックの斜視図である。
【図２】図２は図１に示すII−II矢視の拡大断面図である。
【図３】図３は図１に示すガスケットの一方を示す斜視図である。
【図４】図４は図１に示す発泡樹脂ブロックを積み重ねた状態の接合部分を示す縦断面図である。
【図５】図５は図１に示す発泡樹脂ブロックで構築した壁面の側面図である。
【図６】図６は従来の表面材取付構造の軽量盛土工法で構築した道路の断面図である。
【発明を実施するための形態】
【００２８】
以下、本発明の実施形態を図面に基づいて説明する。以下の実施形態では、外表面の側面視が横長矩形状の発泡樹脂ブロックに表面材を取り付ける構造を例に説明する。
【００２９】
図１に示すように、発泡樹脂ブロック１は、発泡スチロールなどで形成されており、外表面２の側面視が横長矩形状に形成されたブロックとなっている。この発泡樹脂ブロック１の外表面２における左右位置端部（対向する両端部）には、上下２箇所にアンカー部材１０が取り付けられている（図では、右端部のみ図示）。このアンカー部材１０は、発泡樹脂ブロック１の両側部に少なくとも上下２箇所に取り付けられるのが好ましい。
【００３０】
アンカー部材１０は、ステンレスなどで形成されたプレートをＵ字状に折り曲げて形成されており、一方の折曲部は先端部が発泡樹脂ブロック１に食い込み易い爪部１１に形成され、他方の折曲部は平面部１２に形成されている。このアンカー部材１０は、発泡樹脂ブロック１の側面に爪部１１を食い込ませ、平面部１２が外表面２に位置するように取り付けられている。アンカー部材１０は、爪部１１のアンカー効果によって強固に発泡樹脂ブロックに結合することができるようになっている。
【００３１】
そして、一方（図示する右側）のアンカー部材１０の平面部１２には、断面がＵ型状に形成された保持側支持部材２０が取り付けられている。また、もう一方（図示する左側）のアンカー部材１０（図２）の平面部１２には、表面材（セメント系のパネル等）５０の動きを規制する断面が略Ｚ型状に形成された固定側支持部材２５が取り付けられている。これら保持側支持部材２０及び固定側支持部材２５は、ステンレスなどで形成され、発泡樹脂ブロック１の対向する左右位置端部に、縦方向に延びるように設けられている。詳細は、図２で説明する。
【００３２】
また、上記発泡樹脂ブロック１の外表面２の下部中央部分には、重量受け部材１５が取り付けられている。重量受け部材１５は、ステンレスなどで形成されたプレートを断面略Ｚ形状に折り曲げて形成されており、一方の折曲部は先端部が発泡樹脂ブロック１に食い込み易い爪部１６に形成され、他方の折曲部は表面材５０を受けるための平面部１７に形成されている。重量受け部材１５は、表面材５０を下方から支持し、下側への移動を規制している。なお、重量受け部材１５は、上記保持側支持部材２０と固定側支持部材２５とに表面材５０の重量を支持する機能を具備させるようにしてもよい。上記アンカー部材１０、保持側支持部材２０、固定側支持部材２５及び重量受け部材１５は、ステンレスで形成したものとする他に、溶融亜鉛メッキ鋼板、アルミニウムなど、他の金属などで形成したものとしてもよい。
【００３３】
さらに、発泡樹脂ブロック１の外表面２には、発泡樹脂ブロック１と表面材５０との間に空間３５（図２）を保持するための保持部材たる裏当てゴム３０が複数箇所に設けられている。この実施形態の裏当てゴム３０は、硬質のシリコン系ゴムなどで形成されるが、他に、エチレンプロピレンゴム（ＥＰＤＭ）、クロロプレンゴム（ＣＲ）、ウレタンゴム等で形成したものとしてもよい。裏当てゴム３０は、表面材５０と発泡樹脂ブロック１との間に、表面材５０の裏面側に進入した雨水などを排水するための空間３５を形成するものである。また、裏当てゴム３０を設置することで、表面材５０の裏面側への反りを緩和することもできる。
【００３４】
さらに、表面材５０の上部と隣接する表面材（図示略）との間の目地部と、固定側支持部材２５と隣接する保持側支持部材（図示略）との間の目地部とには、目地を塞ぐガスケット４０，４１が装着されている（図では、固定側支持部材２５の部分と表面材５０の上部とにガスケット４０，４１を図示している）。表面材５０の上部と隣接物（他の発泡樹脂ブロック１、隣接するコンクリート材など）との間に装着されるガスケット４０は、ポリ塩化ビニル（ＰＶＣ）、シリコン、ＥＰＤＭ、ＣＲ、ウレタン等の発泡体で形成され、後述するように透水性を有している。
【００３５】
そして、上記したような構成により、発泡樹脂ブロック１の外表面側に表面材５０が取り付けられている。表面材５０の大きさは、発泡樹脂ブロック１の圧縮クリープ変形を見込んで外表面２の大きさよりも少し小さく形成されている。圧縮クリープ変形を見込んだ大きさにしているのは、圧縮クリープ変形により発泡樹脂ブロック１が収縮した場合に、隣接する表面材５０同士が接触して破損するのを防ぐためである。また、保持側支持部材２０と固定側支持部材２５との間で圧縮されないようにするためでもある。なお、発泡樹脂ブロック１が圧縮クリープ変形しても当接しない隣接物としては、隣接する表面材５０以外に、土木構造物を形成する他のコンクリート材などを含む。表面材５０としては、軽量盛土工法によって構築する土木構造物の表面仕上げ材として使用できるものであればよく、コンクリートパネル、樹脂系パネル、金属系パネルなどを用いることができる。
【００３６】
図２に示すように、発泡樹脂ブロック１の外表面２における対向する両端部にはアンカー部材１０が取り付けられている。図示する右側のアンカー部材１０には、略Ｕ型状断面に折り曲げられた保持側支持部材２０がビス２３で取り付けられている。保持側支持部材２０は、略Ｕ型状断面の一方が固定部２１となっており、他方が保持部２２となっている。固定部２１は、保持部２２よりも長く形成されており、保持部２２よりも長く形成された部分がビス２３でアンカー部材１０に取り付けられている。保持部２２は、表面材５０の一端を保持できる長さに形成されている。図示する左側のアンカー部材１０には、略Ｚ型状断面に折り曲げられた固定側支持部材２５がビス２８で取り付けられている。固定側支持部材２５は、略Ｚ型状断面の一方が固定部２６となっており、他方が押え部２７となっている。固定側支持部材２５は、固定部２６をアンカー部材１０にビス２８で取り付けることで、押え部２７が表面材５０を押えて動きを規制する。
【００３７】
これらの支持部材２０，２５は、発泡樹脂ブロック１の外表面２側に表面材５０を保持するためのものであり、アンカー部材１０は、発泡樹脂ブロック１の外表面２に支持部材２０，２５を取り付けるための取付金具である。このようにアンカー部材１０に取り付けた支持部材２０，２５により、表面材５０はビスなどを用いることなく、発泡樹脂ブロック１の外表面２に取り付けることができる。
【００３８】
すなわち、上記したように構成された表面材取付構造６０により、発泡樹脂ブロック１ヘの表面材５０の取付手順としては、以下のようになる。まず、保持側支持部材２０の保持部２２で表面材５０の片方（右方）を係止するようにはめ込み、下側の重量受け部材１５に表面材５０を載せる。その後、表面材５０の他方（左方）を固定側支持部材２５の押え部２７で係止した状態で、固定側支持部材２５の固定部２６をアンカー部材１０にビス２８で取り付ける。これにより、表面材５０を発泡樹脂ブロック１に取り付ける作業が完了する。なお、この図では、この固定側支持部材２５と、隣接する発泡樹脂ブロック１の保持側支持部材２０との間に装着されるガスケット４１が図示されている。
【００３９】
このようにして発泡樹脂ブロック１に取り付けられた表面材５０は、ビスなどで取り付けられておらず、両支持部材２０，２５で保持され、重量受け部材１５に載置されているだけである。そのため、発泡樹脂ブロック１の上下左右の変位や圧縮クリープに対して表面材５０には負担がかかることがなく、また取り付け部が影響を受けることもない。また、表面材５０は発泡樹脂ブロック１の圧縮変形を見込んで少し小さい大きさに形成されているので、発泡樹脂ブロック１の変形によって表面材５０同士が接触して破損する恐れもない。しかも、発泡樹脂ブロック１には、複数箇所に裏当てゴム３０が設置されているので、表面材５０の裏面側への反りを緩和することもできる。
【００４０】
図３に示すように、上記表面材５０の上部と隣接する表面材５０との間の目地部に装着されるガスケット４０は、発泡樹脂ブロック１と接する側に上下方向に連通する透水溝４２が複数本設けられている。この実施形態のガスケット４０は、ＰＶＣ系の発泡体を成形したものに透水溝４２を設けて透水性を有する構成としているが、透水溝４２ではなく、連続気泡型発泡プラスチック等の透湿性を有する材料などを透水性のないガスケットに貼り合わせたものとしてもよい。
【００４１】
図４は、上記発泡樹脂ブロックを積み重ねた状態の接合部分を示す縦断面図である。図示するように、発泡樹脂ブロック１の下部には重量受け部材１５が設けられており、表面材５０はこの重量受け部材１５の平面部１７に載置されて重量が支持されている。そして、積み重ねられた発泡樹脂ブロック１の表面材５０の間に上記ガスケット４０が装着される。このガスケット４０には、発泡樹脂ブロック１と接する面に透水溝４２が設けられているので、表面材５０の裏面側と発泡樹脂ブロック１との間の空間３５に雨水４５などが進入したとしても、ガスケット４０の透水溝４２を介して下方へ排水することができる。この雨水４５などは、最終的には最下部の表面材５０と発泡樹脂ブロック１との間から外部に排水される。
【００４２】
図５に示すように、上記したように表面材５０を取り付けた発泡樹脂ブロック１が積み重ねられて道路などの土木構造物７０が構築される。発泡樹脂ブロック１の積み上げ時には、上下左右の表面材５０の間にガスケット４０，４１が取り付けられる。表面材５０を取り付ける発泡樹脂ブロック１は、壁面側となるブロックのみで、他のブロックは表面材５０が取り付けられていないブロックである。積み上げられる発泡樹脂ブロック１同士は、図示されない結合部材で結合されて一体の構造物となるようになっている。
【００４３】
また、上記したように表面材５０の間にガスケット４０，４１を装着して構築された土木構造物７０は、表面材５０の上下方向の目地（隙間）はガスケット４０を装着することで覆われ、固定側支持部材２５を取り付けているビス２８もガスケット４１で覆われて外から見えない構築構造６１となるため、外観の美しい土木構造物７０となる。
【００４４】
そして、このような軽量盛土工法によって形成された土木構造物７０（道路など）は、何らかの理由により一部の表面材５０が破損したとしても、その表面材５０を上記取付手順と反対の手順で容易に取り外して交換することができる。すなわち、破損した表面材５０の上下側及び固定側支持部材２５側のガスケット４０，４１を取り外し、次いで固定側支持部材２５をアンカー部材１０に取り付けているビス２８を取り外せば固定側支持部材２５を発泡樹脂ブロック１から取り外すことができる。これにより、表面材５０の保持が外れ、その発泡樹脂ブロック１の表面材５０のみを取り外すことができる。そして、新たな表面材５０の取り付けは、上述した取付手順で行うことにより、容易に新しい表面材５０を取り付けることができる。
【００４５】
以上のように、上記軽量盛土工法における表面材取付構造６０及び軽量盛土工法の構築構造６１によれば、発泡樹脂ブロック１に取り付けたアンカー部材１０に固定する保持側支持部材２０及び固定側支持部材２５に表面材５０を取り付けるので、発泡樹脂ブロック１の圧縮クリープ変形や変位によっても表面材５０ヘの負担がかからない構造となる。つまり、発泡樹脂ブロック１に圧縮クリープ変形を生じ、その変形によって支持部材２０，２５が変位したとしても、表面材５０はその支持部材２０，２５の変位に追従して、表面材５０の破損や変形を防止することができる。
【００４６】
また、表面材５０と発泡樹脂ブロック１との間の裏当てゴム３０により排水経路となる空間３５を確保しているので、表面材５０と発泡樹脂ブロック１との間に雨水４５などが進入したとしても空間３５を下方へ流れる。そして、表面材５０の間のガスケット４０に設けた透水溝４２により、上方からの水を下方へ排水することができる。従って、表面材５０と発泡樹脂ブロック１の間に雨水などが滞留することはなく、表面材５０と発泡樹脂ブロック１の耐久性低下を防止することができる。
【００４７】
さらに、一部の表面材５０が破損したとしても、上記したようにガスケット４０，４１と固定側支持部材２５とを取り外すことで個別に交換することが容易にでき、しかも、重量受け部材１５を設けて表面材５０の重量を支持するようにしているので、作業性良く表面材５０を交換することができる。
【００４８】
なお、上記実施形態では、表面材５０を発泡樹脂ブロック１に取り付け、その発泡樹脂ブロック１を積み重ねて土木構造物７０を構築する例を説明したが、先にアンカー部材１０のみを取り付けた発泡樹脂ブロック１を積み上げ、その後、壁面を形成する各発泡樹脂ブロック１に表面材５０を取り付けるようにしてもよく、軽量盛土工法における土木構造物７０の構築手順は上記実施形態に限定されるものではない。
【００４９】
また、上記実施形態では、外表面２が横長矩形状に形成された発泡樹脂ブロック１を例に説明したが、他の形態の発泡樹脂ブロックでも同様に適用でき、発泡樹脂ブロックの形態は上記実施形態に限定されるものではない。
【００５０】
さらに、上記実施形態は一例を示しており、本発明の要旨を損なわない範囲での種々の変更は可能であり、本発明は上記実施形態に限定されるものではない。
【産業上の利用可能性】
【００５１】
本発明に係る表面材取付構造は、軽量盛土工法で構築する種々の土木構造物における表面材の取付けに利用できる。
【符号の説明】
【００５２】
１  発泡樹脂ブロック
２  外表面
１０  アンカー部材
１１  爪部
１２  平面部
１５  重量受け部材
１６  爪部
１７  平面部
２０  保持側支持部材
２１  固定部
２２  保持部
２３  ビス
２５  固定側支持部材
２６  固定部
２７  押え部
２８  ビス
３０  裏当てゴム
３５  空間
４０  ガスケット
４１  ガスケット
４２  透水溝
５０  表面材（（セメント系のパネル等）
６０  表面材取付構造
６１  構築構造
７０  土木構造物
【図１】
2018053717.tif 000003
【図２】
2018053717.tif 000004
【図３】
2018053717.tif 000005
【図４】
2018053717.tif 000006
【図５】
2018053717.tif 000007
【図６】
2018053717.tif 000008
【手続補正書】
【提出日】平成30年1月16日(2018.1.16)
【手続補正１】
【補正対象書類名】特許請求の範囲
【補正対象項目名】請求項１
【補正方法】変更
【補正の内容】
【請求項１】
発泡樹脂ブロックを積み重ねて土木構造物を構築する軽量盛土工法において、前記発泡樹脂ブロックの外表面に表面材を取り付ける表面材取付構造であって、
前記発泡樹脂ブロックの外表面における対向する両端部に固定されるアンカー部材と、
前記アンカー部材の一方に取り付けられて前記表面材の一端を保持する保持側支持部材と、
前記アンカー部材の他方に取り付けられて前記表面材の他端の動きを規制する固定側支持部材と、
前記表面材の重量を支持する重量受け部材と、を備え、
前記保持側支持部材は、前記発泡樹脂ブロックの外表面の一方に固定した前記アンカー部材に取り付け／取り外しできるように構成されており、
前記固定側支持部材は、前記発泡樹脂ブロックの外表面の他方に固定した前記アンカー部材に取り付け／取り外しできるように構成されており、
前記表面材は、前記重量受け部材に支持された状態で前記保持側支持部材と固定側支持部材との間に保持されていることを特徴とする軽量盛土工法における表面材取付構造。
【手続補正２】
【補正対象書類名】明細書
【補正対象項目名】００１３
【補正方法】変更
【補正の内容】
【００１３】
上記目的を達成するために、本発明の軽量盛土工法における表面材取付構造は、発泡樹脂ブロックを積み重ねて土木構造物を構築する軽量盛土工法において、前記発泡樹脂ブロックの外表面に表面材を取り付ける表面材取付構造であって、前記発泡樹脂ブロックの外表面における対向する両端部に固定されるアンカー部材と、前記アンカー部材の一方に取り付けられて前記表面材の一端を保持する保持側支持部材と、前記アンカー部材の他方に取り付けられて前記表面材の他端の動きを規制する固定側支持部材と、前記表面材の重量を支持する重量受け部材と、を備え、前記保持側支持部材は、前記発泡樹脂ブロックの外表面の一方に固定した前記アンカー部材に取り付け／取り外しできるように構成されており、前記固定側支持部材は、前記発泡樹脂ブロックの外表面の他方に固定した前記アンカー部材に取り付け／取り外しできるように構成されており、前記表面材は、前記重量受け部材に支持された状態で前記保持側支持部材と固定側支持部材との間に保持されている。この明細書及び特許請求の範囲の書類中における「圧縮変形」は、「圧縮クリープ変形」を含む概念である。
【手続補正３】
【補正対象書類名】明細書
【補正対象項目名】００１４
【補正方法】変更
【補正の内容】
【００１４】
この構成により、発泡樹脂ブロックにアンカー部材を固定し、発泡樹脂ブロックの外表面に固定したアンカー部材に、軽量盛土工法における表面材の一端を保持側支持部材で保持し、表面材の重量を重量受け部材で支持し、表面材の他端を固定側支持部材で保持して取り付ければ、表面材を発泡樹脂ブロックの外表面に取り付けることができる。この取り付けられた表面材は、発泡樹脂ブロックに直接固定されていないため、発泡樹脂ブロックに圧縮変形や変位を生じても、表面材は保持側支持部材と固定側支持部材との間で動いて取り付けている部分に大きな力が作用しない構造とすることができる。しかも、固定側支持部材を取り外すことにより、表面材を容易に交換することができる。